(57)【要約】【課題】  従来ファスナーを閉じる場合、左手で固定したスライダーに右手でつまんだ蝶棒を挿入する手順のため両手での操作が必要であった。そのため片手しか使えない人や片手に大きな荷物を持った場合に非常に困難かもしくは不可能であった。【解決手段】  本発明はファスナーに取り付けた留め具を片手で留めて左右テープを中央で固定し、スライダーの上下だけでスライダーと箱の所定位置での結合又は分離により蝶棒をスライダーに挿入又は離脱を行う。そこで片手で留め具を閉めた後はスライダーの上下だけで片手でファスナーの開閉を行うものである。結果ファスナー片手開閉誘導機構を提供することにより上記課題を解決するものである。【選択図】図３
2016087379.tif 000002
【特許請求の範囲】
【請求項１】
ファスナーのテープを下に延長し、延長する長さはスライダーに箱を足したサイズであり、テープには着衣した状態において右の延長部分にレールを取り付け、レールにはこのレールを上下にスライドするオスの留め具をあらかじめ取り付け、レールの幅は留め具に収まるサイズであり、箱棒の下のテープの左延長部分には箱棒タイプのレールを取り付け、その幅は箱棒と同じであり、この箱棒タイプのレールにはファスナーの一部である箱を嵌め込んであらかじめ接着させたメスの留め具を取り付け、延長部分の右及び左レールの長さはテープの延長部分の長さと同じであり、右及び左留め具の上部内側にスライダーの柱を左右からつかむための挟みを設け、右及び左留め具の幅は縫製部分からスライダーがスライドできる内側までの間であり、長さは蝶棒の上端からテープの延長部分の下端までの長さであり、これはファスナーを閉じたとき留め具がテープの延長部分を隠す長さであり、レールを取り付ける左右テープの延長部分の外側を右及び左の留め具のそれぞれの幅を残しカットすることを特徴とするファスナー片手開閉誘導機構。
【発明の詳細な説明】
【技術分野】
【０００１】  本発明は、ファスナーの開閉に関するものである。
【背景技術】
【０００２】  従来は左手でスライダーを固定し、右手で蝶棒を持らスライダーの肩口へ誘導し挿入した後、スライダーを引き上げてファスナーを閉めるというもので、両手で操作することが必要であった。
【先行技術文献】
【特許文献】
【０００３】
【特許文献１】  特開２００３−２８９９１１号公報
【発明の概要】
【発明が解決しようとする課題】
【０００４】  上述の如く、従来の方法では片手しか動かせない人や状況などで両手が使えない場合に、蝶棒を持つことができてもスライダーへ挿入することは不可能に近かった。また冬の寒い日など、丈の長いコートの場合、手袋をはずして首を曲げて目で確認することが必要な場合もあり、目の不自由な人には困難を伴うものであった。
【課題を解決するための手段】
【０００５】  ファスナーのテープを下に延長する。延長する長さはスライダーに箱を足したサイズである。テープには着衣した状態において右の延長部分にレールを取り付ける。レールにはこのレールを上下にスライドするオスの留め具をあらかじめ取り付ける。レールの幅は留め具に収まるサイズである。箱棒の下のテープの左延長部分には箱棒タイプのレールを取り付ける。箱棒タイプのレールの幅は箱棒と同じである。箱棒タイプのレールにはファスナーの一部である箱を嵌め込んであらかじめ接着させたメスの留め具を取り付ける。延長部分の右及び左レールの長さはテープの延長部分の長さと同じである。右及び左留め具の上部内側にスライダーの柱を左右からつかむための挟みを設ける。
右及び左留め具の幅は縫製部分からスライダーがスライドできる内側までの間であり、長さは蝶棒の上端からテープの延長部分の下端までの長さである。これはファスナーを閉じたときに留め具がテープの延長部分を隠す長さである。
また、レールを取り付ける左右テープの延長部分の外側を右及び左留め具のそれぞれの幅を残しカットする。
【発明の効果】
【０００６】  本発明では不可能もしくは困難を伴った片手でのファスナーの開閉を可能にする。これはスライダーで蝶棒をすくい上げることにより、左手で固定したスライダーに右手で蝶棒を挿入したときと同じ状態を実現するものである。
このように片手だけで留め具を閉じた後、片手でスライダーを上下させることでスライダーと箱を組み込んだ留め具の結合と分離が行われ、蝶棒のスライダーへの挿入とスライダーからの離脱が可能となる。結果として片手のみでファスナーの開閉が可能となる。
【図面の簡単な説明】
【０００７】
【図１】  本発明の一部であるテープとレールの位置関係図
【図２】  本発明の一部である留め具の操作手順を示した正面図
【図３】  本発明の一部である留め具の斜視図
【図４】  本発明の一部である留め具の平面図
【図５】  本発明の一部である留め具の断面図
【発明を実施するための形態】
【０００８】  以下、本発明の実施の形態を説明する。
（イ）左右テープ（１）の下に延長部分（２）を設け、外側に切れ込み（３）を入れる。
（ロ）右のテープ（１）の延長部分（２）に右留め具（１２）を組み込んだレール（６）を設け、左の延長部分（２）には箱棒（５）の下に箱棒タイプのレール（７）を設ける。箱（８）は左留め具（１３）に組み込まれており、左留め具（１３）の構成部分である。
（ハ）右及び左留め具（１２）（１３）の上部内側に挟み（１１）を設ける。
（ニ）蝶棒（４）の下部を外側に反らせる。
蝶棒（４）をスライダー（９）に挿入する最適位置に誘導するため、蝶棒（４）と箱棒（５）を中央に揃えることが必要である。そのために蝶棒（４）と箱棒（５）の下に留め具を設けてそれを閉じることで中央に誘導固定することが有効である。この発明はスライダー（９）で蝶棒（４）をすくい上げる方法が特徴であるため、箱（８）と結合したスライダー（９）を蝶棒（４）の下に位置させることが重要となる。そのために蝶棒（４）と箱棒（５）の下にテープを延長して、その上にレールを敷いて箱（８）と結合したスライダー（９）を引き上げる構造にする。また、その延長部分（２）を最小限にするために箱（８）の下に留め具を設けるのではなく、箱（８）を左留め具（１３）に組み込み、その一部とする構造にする。次に延長部分（２）の縫製の手間と無駄を省くためと、右及び左留め具（１２）（１３）が縫製の邪魔にならないようにするために、延長部分（２）の縫い代部分をカットした切れ込み（３）を入れる。これはファスナーを閉じたときに閉じた留め具（１４）でテープの延長部分（２）を隠すことで、見た目を良くする目的でもある。右及び左留め具（１２）（１３）は右手の親指と人差し指でつまんで閉じることができる大きさである。
右のレール（６）で右留め具（１２）を上下にスライドさせ、左のレール（７）で箱（８）を上下にスライドさせることで箱（８）を組み込んだ左留め具（１３）を上下にスライドさせることができる。このことから右及び左レール（６）（７）で、閉じた留め部（１４）を上下にスライドさせることができることになる。次に右及び左留め具（１２）（１３）の上部内側に設けた挟み（１１）でスライダー（９）の柱（１０）をつかみ、スライダー（９）と閉じた留め具（１４）を結合させる。次にそれを引き上げることでスライダー（９）が蝶棒（４）をすくい上げて箱（８）に収納する手順になる。この時、蝶棒（４）の下部を外側に反らせることでスライダー（９）が蝶棒（４）をすくい上げることを確実にして、スライダー（９）の上下をスムーズにしておくことが重要である。そして蝶棒（４）をすくい上げると、蝶棒（４）が収納される箱（８）の底が塞がれているため、箱（８）に収納された蝶棒（４）がストッパーとなり、スライダー（９）を引き上げる力で閉じた留め具（１４）の挟みが柱（１０）から外れ、スライダー（９）だけが上昇しファスナーを閉じることになる。次にファスナーが閉じた状態でスライダー（９）を箱（８）まで下げることでスライダー（９）と閉じた留め具（１４）が結合する。さらにテープの延長部分（２）まで下げるとスライダー（９）から蝶棒（４）が外れ、閉じた留め具（１４）を外すことでファスナーが開くことになる。
このようにスライダー（９）を上下にスライドさせることにより片手だけでファスナーの開閉が行われるのである。
【産業への利用可能性】
【０００９】  片手で留め具を閉じて、スライダーを上下させるだけでファスナーの開閉ができることから片手しか使用できない人に対するユニバーサルデザイン用品としての活用が見込まれる。また片手で装着できるのでアクティブな着こなしを可能にし、ファッシヨン面での訴求が期待できる。
【符号の説明】
【００１０】１  テープ    ２  延長部分    ３  切れ込み    ４  蝶棒    ５  箱棒    ６  レール７  箱棒タイプのレール    ８  箱    ９  スライダー    １０  柱    １１  挟み    １２  右留め具    １３  左留め具    １４  閉じた留め具    １５  留め具のオス    １６  右留め具落下防止
【図１】
2016087379.tif 000003
【図２】
2016087379.tif 000004
【図３】
2016087379.tif 000005
【図４】
2016087379.tif 000006
【図５】
2016087379.tif 000007